(57)【要約】【課題】本発明は上記の課題に鑑みてなされたものであり、撮影装置に撮影可能な電力がどの程度充電されているかをモニタし、充電状態がオーダーされた撮影に対して十分であるかを撮影者に通知可能とすることを目的とする。【解決手段】  放射線を発生する発生部と、発生部に電力を供給するバッテリとを有する放射線撮影装置は、当該放射線撮影装置による撮影オーダーを含む管理情報を取得し、撮影オーダーとバッテリの充電量とに基づいて撮影オーダーに対するバッテリの残量の過不足に関する情報を出力する。【選択図】  図８
2010194375.tif 000002
【特許請求の範囲】
【請求項１】
放射線を発生する発生部と、
前記発生部に電力を供給するバッテリとを有する放射線撮影装置であって、
前記放射線撮影装置による撮影オーダーを含む管理情報を取得する取得手段と、
前記撮影オーダーと前記バッテリの充電量とに基づいて前記撮影オーダーに対する前記バッテリの残量の過不足に関する情報を出力する出力手段と、
を有することを特徴とする放射線撮影装置。
【請求項２】
前記出力手段は、前記取得された撮影オーダーのうち実行が可能な撮影オーダーを通知することを特徴とする請求項１に記載の放射線撮影装置。
【請求項３】
前記出力手段は、前記撮影オーダーが実行可能か否かを示す情報を出力することを特徴とする請求項１に記載の放射線撮影装置。
【請求項４】
撮影オーダーを含む管理情報に基づいて撮影に必要な電力の量を算出する算出手段と、
前記算出手段で算出された電力の量と、当該放射線撮影装置へ電力を供給するバッテリの充電量とを比較する比較手段と、
を更に備えることを特徴とする請求項１乃至３のいずれか１項に記載の放射線撮影装置。
【請求項５】
前記出力手段は、前記比較の結果を出力することを特徴とする請求項４に記載の放射線撮影装置。
【請求項６】
放射線を検出して放射線画像を得る撮影部を有し、
前記バッテリは前記撮影部に電力を供給することを特徴とする請求項１乃至５のいずれか１項に記載の放射線撮影装置。
【請求項７】
放射線を発生する発生部と、
放射線を検出して放射線画像を得る撮影部と、
前記発生部及び前記撮影部を搭載し移動させる台車とを有する放射線撮影装置であって、
前記放射線撮影装置による撮影のオーダー情報を含む管理情報を取得する取得手段と、
撮影オーダーを含む管理情報に基づいて撮影に必要な電力の量を算出する算出手段と、
前記算出手段で算出された電力の量と、当該放射線撮影装置へ電力を供給するバッテリの充電量とを比較する比較手段と、
前記比較の結果を出力する出力手段と、
を有することを特徴とする放射線撮影装置。
【請求項８】
放射線を検出して放射線画像を得る撮影部と、
前記撮影部に電力を供給するバッテリと、
前記撮影部による撮影オーダーと前記バッテリの充電量とに基づいて前記撮影オーダーに対する前記バッテリの残量の過不足に関する情報を出力する出力手段と、
を有することを特徴とする放射線撮影装置。
【請求項９】
放射線を発生する発生部と、前記発生部に電力を供給するバッテリとを有する放射線撮影装置の制御方法であって、
前記放射線撮影装置による撮影オーダーを含む管理情報を取得する取得工程と、
前記撮影オーダーと前記バッテリの充電量とに基づいて前記撮影オーダーに対する前記バッテリの残量の過不足に関する情報を出力する出力工程と、
を有することを特徴とする放射線撮影装置の制御方法。
【請求項１０】
放射線を発生する発生部と、放射線を検出して放射線画像を得る撮影部と、前記発生部及び前記撮影部を搭載し移動させる台車とを有する放射線撮影装置の制御方法であって、
前記放射線撮影装置による撮影のオーダー情報を含む管理情報を取得する取得工程と、
撮影オーダーを含む管理情報に基づいて撮影に必要な電力の量を算出する算出工程と、
前記算出工程にて算出された電力の量と、当該放射線撮影装置へ電力を供給するバッテリの充電量とを比較する比較工程と、
前記比較の結果を出力する出力工程と、
を有することを特徴とする放射線撮影装置の制御方法。
【請求項１１】
放射線を検出して放射線画像を得る撮影部と、前記撮影部に電力を供給するバッテリとを有する放射線撮影装置の制御方法であって、
前記撮影部による撮影オーダーと前記バッテリの充電量とに基づいて前記撮影オーダーに対する前記バッテリの残量の過不足に関する情報を出力する出力工程と、
を有することを特徴とする放射線撮影装置の制御方法。
【発明の詳細な説明】
【技術分野】
【０００１】
本発明は可搬性を有する放射線撮影装置とその制御方法に関するものである。
【背景技術】
【０００２】
従来から、対象物に放射線を照射し、対象物を透過した放射線の強度分布を検出して対象物の放射線画像を得る撮影装置が、工業用の非破壊検査や医療診断の場で広く一般に利用されている。このような撮影装置における一般的な撮影方法としてフィルム／スクリーン法が挙げられる。これは感光性フィルムと、放射線に対して感度を有している蛍光体を組合せて放射線撮影をする方法である。即ち、放射線の照射により発光する希土類の蛍光体をシート状にしたものを感光性フィルムの両面に密着して保持し、被写体を透過した放射線を蛍光体で可視光に変換し、感光性フィルムでこの光を捉える。フィルム上に形成された潜像を化学処理で現像することで可視化することができる。
【０００３】
一方、近年のデジタル技術の進歩により、放射線画像を電気信号に変換し、この電気信号を画像処理した後に、可視画像としてＣＲＴ等に再生することにより高画質の放射線画像を得る方式が普及してきている。このような放射線画像を電気信号に変換する方法を用いたシステムとして、放射線の透過画像をいったん蛍光体中に潜像として蓄積し、後にレーザー光等の励起光を照射することで潜像を光電的に読み出すことにより可視像を得る放射線画像記録再生システムが提案されている。
【０００４】
また、近年の半導体プロセス技術の進歩に伴い、半導体センサを使用して放射線画像を撮影する装置が開発されている。これらのシステムは、従来の感光性フィルムを用いる放射線写真システムと比較して非常に広いダイナミックレンジを有しており、放射線の露光量の変動に影響されない放射線画像を得ることができるという実利的な利点を有している。同時に従来の感光性フィルム方式と異なり化学処理が要らず、即時的に出力画像を得ることができるという利点もある。
【０００５】
図９はこのような放射線画像撮影装置１０３を用いたシステムを示す概念図である。放射線発生装置１０１によって発せられた放射線が被写体１０２に照射され、被写体を透過した放射線は、放射線画像撮影装置１０３に内蔵された放射線検出センサ１０４に到達する。放射線検出センサ１０４において、放射線は蛍光体を介して可視光に変換され、二次元の格子状に配列した光電変換素子によって電気信号として検出される。この放射線検出センサ１０４に対して読出し駆動や画像転送などの制御を行う制御部１０５が設けられている。制御部１０５は放射線検出センサ１０４から出力された画像信号をデジタル画像処理し、モニタ１０６に被写体１０２の放射線画像として表示する。図９に示したシステムは、後処理において画像を読み出す前述の放射線画像記録再生システムとは異なり、即時的に画像をモニタできる点が長所である。このような撮影システムは立位、臥位などの撮影形態により専用の架台に放射線検出センサ１０４が設置され、必要に応じて使い分けられる。
【０００６】
従来、この種の撮像装置は、放射線室に設置され利用されてきた。しかし、近年、より迅速かつ広範囲な部位の撮影を可能にするため、薄型で軽量な可搬型の撮影装置（電子カセッテと言う）が開発されてきている。その結果、放射線室内でのカセッテ撮影だけではなく、回診の分野にも適用可能な撮影システムが提案されている（特許文献１参照）。このような撮影システムは、回診において、従来のフィルムや蛍光板を収納するカセッテを何枚も携帯しなければいけないという問題と、撮影ミスが即時的に確認できないことから再撮影等の手間がかかるという問題の両者を解決できるため、非常に有用なシステムである。
【先行技術文献】
【特許文献】
【０００７】
【特許文献１】特開平１１−９９１４４号公報
【発明の概要】
【発明が解決しようとする課題】
【０００８】
上述したような移動型の放射線撮影装置はバッテリにより駆動される。ここで、回診撮影の途中でバッテリ切れにより撮影ができなくなるという事態は避けなければならない。
【０００９】
本発明は上記の課題に鑑みてなされたものであり、撮影装置に撮影可能な電力がどの程度充電されているかをモニタし、充電状態がオーダーされた撮影に対して十分であるかを撮影者に通知可能とすることを目的とする。
【課題を解決するための手段】
【００１０】
上記の目的を達成するための本発明の一態様による放射線撮影装置は以下の構成を有する。即ち、
放射線を発生する発生部と、
前記発生部に電力を供給するバッテリとを有する放射線撮影装置であって、
前記放射線撮影装置による撮影オーダーを含む管理情報を取得する取得手段と、
前記撮影オーダーと前記バッテリの充電量とに基づいて前記撮影オーダーに対する前記バッテリの残量の過不足に関する情報を出力する出力手段と、を有する。
【発明の効果】
【００１１】
かかる構成により、充電状態がオーダーされた撮影に対して十分であるかを判断し、この情報を撮影者に知らせることができる。
【図面の簡単な説明】
【００１２】
【図１】第１実施形態における撮影部の側面断面図である。
【図２】第１実施形態における移動型撮影装置の構成を説明する図である。
【図３】第１実施形態における移動型撮影装置の動作を説明するフローチャートである。
【図４】第２実施形態における移動型撮影装置の構成を説明する図である。
【図５】第２実施形態における操作部の画面構成を説明する図である。
【図６】第３実施形態における画面構成を説明する図である。
【図７】第４実施形態における移動型撮影装置を説明する図である。
【図８】第５実施形態における移動型撮影装置を説明する図である。
【図９】一般的な放射線撮影システムを説明する図である。
【図１０】操作部における管理情報のリスト表示例を示す図である。
【発明を実施するための形態】
【００１３】
以下、添付の図面を参照して本発明の好適な実施形態について説明する。尚、以下の各実施形態では、本発明の放射線画像撮影装置の例として、Ｘ線を用いて被験者（人体）を撮影する医療用の撮影装置（Ｘ線画像撮影装置）について説明するが、本発明を人体以外の被写体を撮影するＸ線画像撮影装置または他の放射線（例えば電子線やガンマ線）を用いた撮影装置に適用することも可能である。
【００１４】
＜第１実施形態＞
図１は本実施形態における撮影部の側面断面図であり、図２は本実施形態による移動型撮影装置の構成を説明する図である。また、図３は本実施形態の移動型撮影装置の動作を説明するためのフローチャートである。
【００１５】
図１において、Ｘ線検出パネル１は、主として蛍光板１ａと光電変換素子１ｂと基板１ｃとで構成されている。基板１ｃは、半導体素子との化学作用のないこと、半導体プロセスの温度に耐え得ること、寸法安定性等の必要性からガラス板が多く用いられる。このようなガラス基板１ｃ上に光電変換素子１ｂが半導体プロセスにより２次元配列的に形成される。蛍光板１ａは金属化合物の蛍光体を樹脂板に塗布したものが用いられ、基板１ｃと接着によって一体化されている。
【００１６】
以上の構成のＸ線検出パネル１は金属製の基台２に固定支持され、機械的強度が確保されている。回路基板３は、光電変換素子１ｂで変換された電気信号を処理する電子部品３ａ、３ｂを搭載し、フレキシブル回路基板４によって光電変換素子１ｂと接続されており、基台２の裏側に設けられた突起２ａを介して固定されている。基台２は支持部２ｂを介して筐体本体５ａに固定され、Ｘ線透過性の筐体蓋５ｂで密閉されて筺体５に収納され、電子カセッテとして撮影部１０が構成される。また、撮影部１０には回路基板３等に対して電源供給及び画像信号や制御信号などの信号伝送を目的としたケーブル６が中継部７等を介して接続されている。
【００１７】
このような撮影部１０は移動型Ｘ線発生装置２０とともに回診用として組み合わされて移動型撮影装置５０として使用される。図２に基づき本実施形態における構成について説明する。
【００１８】
移動型撮影装置本体２１は複数の車輪２３、２４を有する台車部２２に据え付けられており、任意に移動可能である。台車部２２に設けられた回転検出センサ２５は、車輪２４の回転を検出し、この検出信号は撮影装置５０が移動状態であるか否かを検知するのに用いられる。なお、回転検出センサ２５はロータリーエンコーダ等簡易的な方法で実現できる。一方、台車部２２には、支柱２６が軸周りに回転可能に鉛直に支持されている。そして、この支柱２６に対して水平方向に延び、鉛直方向にスライド可能に支持されたアーム２７が設けられている。このアーム２７にはＸ線管球を含むＸ線発生部２８がアーム２７に沿って水平方向にスライド可能で、かつアーム２７の軸方向周りに回転可能に取り付けられている。これにより、Ｘ線発生部２８によるＸ線の照射方向が任意に調整可能となる。Ｘ線発生部２８にはグリップ２９が設けられ、更にグリップ２９には接触センサ（不図示）が設けられている。グリップ２９を操作者が握ったことを接触センサが検出すると、アーム２７やＸ線発生部２８等の各機構の移動を禁止するロックが解除され、上記回転やスライドの可能な範囲で、Ｘ線管球を所望の位置、姿勢に位置決めすることができる。
【００１９】
また、本体２１内部にはＸ線照射のための管球駆動や機構部のロック等を制御する電気回路を含む駆動回路３０、移動型撮影装置５０の各部へ電力を供給するためのバッテリ３１、撮影部１０とＸ線発生部２８を制御し、撮影画像を得るための制御部３２が配置されている。制御部３２は、主として、撮影部１０からの画像信号をデジタル処理して得られる撮影画像を記憶する格納部、操作者とのインターフェースを提供する第１、第２操作部３４，３６や、Ｘ線発生装置２８と撮影部１０を連動させるためのインターフェース部、およびこれらを制御するためのコントローラを具備する。
【００２０】
制御部３２から駆動回路３０に対して、Ｘ線発生部２８におけるＸ線の発生をケーブル３３を介して指示する。Ｘ線発生部２８と駆動回路３０はケーブル１９で接続され、Ｘ線発生部２８に駆動信号と電力が供給される。駆動回路３０は制御部３２からのＸ線発生指示に従ってＸ線発生部２８に駆動信号を送ることにより曝射を制御する。
【００２１】
Ｘ線検出パネル１の駆動タイミングは、Ｘ線発生部２８からの曝射に連動するように制御される必要がある。このため、撮影部１０はケーブル６により制御部３２に接続され、ケーブル６を介して制御部３２から撮影部１０へ駆動信号が伝達される。ケーブル６は撮影部１０への電源供給及び撮影部１０との間の画像信号や制御信号などの信号伝送を目的としており、操作に不自由がないような柔軟性と電源供給および信号転送に不具合がない範囲で十分な長さを有している。
【００２２】
撮影部１０や移動型Ｘ線発生装置２０の操作等に使用される第１操作部３４は表示出力のためのモニタと操作入力のための入力デバイスからなり、本実施形態では本体２１上部に配置されている。入力デバイスとしては、例えば、モニタ表示上の選択項目を切替える選択キーと選択を決定するための決定ボタンの組み合わせや、モニタ画面上に配置されるタッチパネル等が考えられる。第１操作部３４のモニタ上には撮影部位を選択して撮影部１０を撮影可能な状態に遷移させたり、Ｘ線発生部２８の管電圧や管電流、照射時間等の撮影条件を設定したりするための操作メニューが表示される。操作メニュー中のこれらの項目について入力デバイスで選択、設定を行い、所望の撮影を行う。即ち、第１操作部３４では、撮影部１０やＸ線発生部２８に関する各種設定や撮影動作の指示を行なう。また、撮影された画像に対してトリミングや回転といった処理を行い、制御部３２に内蔵された格納部に撮影画像を保存させるまでの一連の操作を第１操作部３２の入力デバイスを用いて行うことができる。
【００２３】
バッテリ３１は駆動回路３０、撮影部１０、制御部３２等に接続されて各部に電力を供給するとともに、ＡＣケーブル３５を介して外部から充電することが可能である。移動型撮影装置５０を稼働させるための電力は撮影作業のない時間帯であらかじめＡＣケーブル３５を通じてバッテリ３１に充電され、移動時にはＡＣケーブル３５は装置本体２１の内部に収納される。
【００２４】
また、制御部３２には、Ｘ線撮影がオーダーされた患者に関する情報やその撮影条件、撮影の履歴等の管理情報を管理するためのソフトウエアモジュール（管理モジュール）が組み込まれている。なお、このような管理モジュールは制御部３２とは別体の制御部により実現されてもよい。図２に示すように、制御部３２には第２操作部３６が接続されており、管理モジュールは第２操作部３６のモニタ上に管理情報をリスト表示（例えば患者をリスト表示する等）し、管理内容について操作者による確認が可能となっている。また、リスト表示が一画面に収まらない場合には、第２操作部３６に設けられた入力デバイスを介して画面スクロールを指示することができる。なお、これらの管理情報は制御部３２に接続されている外部通信用コネクタ３７を介して図示しない院内の外部端末と通信することで得られる。本例では、外部端末としてＲＩＳ（Radiology Information System）との接続を実現するＲＩＳ端末と接続するものとする。ただし、本装置を接続するシステムはＲＩＳに限られるものではなく、ＨＩＳ（Hospital Information System）等、他の任意のシステムに適用することができる。なお、このような通信処理も管理モジュールがサポートするものとする。
【００２５】
次に、上記の移動型撮影装置５０の動作について説明する。図３は本実施形態による移動型撮影装置５０の動作（制御部３２による処理手順）を説明するフローチャートである。
【００２６】
まず、ステップＳ１０１において、外部通信コネクタ３７を介して制御部３２が外部のＲＩＳ（Radiology Information System）端末に接続されているか否かを判定する。ＲＩＳ端末に接続されていると判定された場合はステップＳ１０２へ進み、例えば第２操作部３６に対する操作者の操作に応じてＲＩＳ端末より管理情報を取り込んだり、ＲＩＳ端末に撮影結果等を含む管理情報を出力したりする。そして、ステップＳ１０３において、第２操作部３６に管理情報をリスト表示する。
【００２７】
このように、操作者（技師）は、外部通信コネクタ３７を介して移動型撮影装置５０の制御部３２と院内のＲＩＳ端末とを接続し、Ｘ線撮影のオーダー件を含む管理情報を撮影装置５０側に転送することができる。転送された管理情報は第２操作部３６にてリスト表示され、技師は管理情報を確認することができる。この表示により、操作者は、優先度や移動ルートを考慮して回診撮影の大まかなスケジュールを計画することができる。なお、リスト表示される内容は、図１０の（ａ）に示すように、例えば患者氏名、性別などの患者情報や病室番号、撮影部位や撮影姿勢等の撮影要件などである。
【００２８】
以上の準備が終わると、操作者は予定されたスケジュールに沿って移動型撮影装置５０を押しながら所定の病室への移動開始する。
【００２９】
移動型撮影装置５０の移動時は、操作者は安全に当該装置を移動させるために、Ｘ線撮影部２８や撮影部１０に対する操作は行なわれない。本実施形態では、これらの移動状態における不要な操作（Ｘ線撮影部２８や撮影部１０に対する操作）に起因した不必要な動作の発生を防止し、無駄な電力消費の発生を防止するために、移動状態では使用されない機能を、装置の移動の検出に応じて自動的に休止させる機能を持たせる。この機能により移動時の消費電力を抑える。前述したように移動型撮影装置５０は車輪２４の回転を検出し、移動型撮影装置５０の移動状態を検知する。本実施形態では、この回転検出センサ２５によりある程度以上の速度が検知された場合に装置が移動状態であると判断し、休止対象の機能を自動的に休止させる。
【００３０】
休止対象の機能は、Ｘ線発生装置２８や撮影部１０に対する設定を含む各種操作の機能である。本実施形態では第１操作部３４での操作機能を停止させることでこれに対応する。この結果、不用意に操作キー等の入力デバイスに触れて駆動回路３０や撮影部１０を駆動したりするといった誤作動自体をも防止でき、消費電力を抑えることのみならず、移動時の安全性を確保することもできる。
【００３１】
一方、患者情報のリストの表示は、回診撮影のスケジュールを決めるために移動状態においても必要であろう。上述したように第２操作部３６においては、病室の確認や患者氏名の確認を可能とするリスト表示がなされている。従って、移動型撮影装置５０が移動状態であっても第２操作部を機能させる。これにより、患者情報のリスト表示やリストへのアクセス（表示のスクロール等）の機能は装置が移動状態にあっても有効となる。
【００３２】
以上の動作を実現するために、回転検出センサ２５による車輪２４の回転の検出に基づいて移動型撮影装置５０が移動状態にあるか否かが検出される。移動状態であることが検出されると処理はステップＳ１０４からステップＳ１０９へ進み、第１操作部３４を休止状態とし、ステップＳ１０１に戻る。
【００３３】
移動型撮影装置５０の移動が完了し、回転センサ２５により停止が検出されると、処理はステップＳ１０４からステップＳ１０５へ進み、第１操作部３４の機能を復活させる。そして、第１操作部３４により種々の撮影設定が行なわれ、撮影開始が指示されると、処理はステップＳ１０６からステップＳ１０７へ進み、Ｘ線発生部２８と撮影部１０によるＸ線撮影が開始される。Ｘ線撮影を終えると、ステップＳ１０８へ進み、対応する管理情報を更新し、ステップＳ１０１に戻る。管理情報の更新では例えば撮影オーダーに対して「撮影済み」を設定したり、格納部に格納した撮影画像と撮影オーダーを関連付けるための情報を記録する。その後、ステップＳ１０３により管理情報のリスト表示が更新されると、撮影済みの情報が図１０に示される「撮影」欄に反映される（対応する欄が「未」から「済み」に変わる）ことになる。
【００３４】
例えば、操作者が移動型撮影装置５０を移動させて、所定の病室に到着して移動を停止すると、第１操作部３４が作動可能になる（ステップＳ１０５）。その後、操作者は、Ｘ線発生部２８を所定の撮影姿勢に対して位置調整したのち、第１操作部３４により撮影部位の選択、Ｘ線発生部２８の管電圧（ｋＶ）、管電流（ｍＡ）、撮影時間（ｍＳ）等の撮影条件の確認、設定をし、撮影開始を指示する。この撮影開始の指示によりＸ線撮影が実行され（ステップＳ１０６、Ｓ１０７）る。Ｘ線撮影が終了すると当該患者の管理情報として撮影済であることが反映され、管理情報が自動更新される（ステップＳ１０８）。
【００３５】
更新された管理情報は、その後ステップＳ１０３において操作部３６上に表示されるので、操作者は、この表示を見て次の撮影オーダーがあるかどうか、あるならばどの病室へ行けばよいか等、容易に判断することができる。すなわち、表示されている管理情報リストに未撮影の撮影オーダーがある場合は、次の病室へ移動し、上述した一連の操作、処理によるＸ線撮影を繰り返す。操作者は、撮影オーダーがなくなると、移動型撮影装置５０を所定の待機位置に返却する。また、外部通信コネクタ３７を介して移動型撮影装置５０の制御部３２と院内のＲＩＳ端末とを接続し、更新された管理情報をＲＩＳ端末に対して出力させることができる（ステップＳ１０１，Ｓ１０２）。
【００３６】
なお、Ｘ線発生装置２８や撮影部１０の設定、駆動等の機能を休止させる方法には種々の方法が考え得る。第１実施形態では、Ｘ線発生装置２８や撮影部１０の設定、駆動等のための操作を第１操作部３４を用いて行うようにしたので、次のような方策を採ることができる。例えば、単純に第１操作部３４への電源供給をオフすることが考えられる。或いは、第１操作部３４への出力（表示出力、液晶の場合はバックライトを含む）をオフするとともに第１操作部３４への入力操作に対して反応しないようにするという方法も考えられる。
【００３７】
また、上記のように第１、第２操作部を別体とした効果は幾つか考えられる。例えば、第２操作部３６を撮影装置本体２１に対して着脱可能に構成することで、ＰＤＡ等の情報端末として単独で操作者が持ち歩くことを可能に構成することができる。この場合、例えば、緊急の撮影オーダーの連絡等など新たな機能を付加することも可能である（例えば、待機時に携帯していることで緊急用のオーダーを無線等で受けて確認することが出来る、或いは、緊急用オーダーを別の端末として持っていくことが出来るようになる）。また、第１、第２操作部３４，３６のそれぞれに要求される解像度等の仕様に応じてモニタを構成することができる。例えば、撮影制御用のメニュー画面はそれほど解像度は必要でなく、逆に解像度を高くした場合は操作アイコン等の情報のデータ量が増えてしまう弊害が有る。一方リスト表示は多くの情報を一画面に出力するのが望ましく、解像度が高い表示が望まれる。従って、第１操作部３４におけるモニタの解像度は比較的低くし、第２操作部３６におけるモニタの解像度はそれよりも高くするのが望ましい。
【００３８】
なお、上記実施形態では台車２２の車輪２４の回転をエンコーダ等を利用して検出することにより装置が移動状態であるか否かを判定したが、これに限られるものではない。例えば、Ｘ線発生部２８が所定位置（例えば、第４実施形態（図７）で後述するような位置）に収容されたことを検出して移動状態にあると判定するようにしてもよい。或いは、例えば、台車２２に設けられたブレーキ機構によるブレーキ状態の解除を検出し、この検出により移動状態であるか否かを判定するようにしてもよい。これらの観点から、装置の移動状態とは、実際に装置が移動中であること以外に、移動可能な状態となっていることをも含み得るものであることが理解されよう。又、ブレーキの解除は機械的に行なうようにしてもよいし、Ｘ線発生部２８が所定位置に収容されたこと（例えば、第４実施形態（図７）で後述するような位置に収容されたこと）を検出してブレーキを解除するようにしてもよい。更に、撮影部１０は本体２１に対して着脱可能であってもよく、撮影部１０が本体２１からはずされたことを検出して上記ブレーキ状態を解除するように構成してもよい。もちろん、撮影部１０が本体２１からはずされたことの検出により移動状態であると判定するようにしてもよい。また、台車２２が車輪を駆動するモータを含む構成であれば、当該モータに対する駆動指示があった場合に移動状態であると判定するようにしてもよい。
【００３９】
以上説明したように、第１実施形態によれば、移動中に使用しない機能を休止させつつ、移動中に有用な機能は動作を保つようにしたので、操作に支障をきたすことはなく待機電力消費を抑え、かつ誤作動による不要な電力消費を抑えることができる。
【００４０】
＜第２実施形態＞
上記第１実施形態では、Ｘ線発生部２８や撮影部１０に対する設定、駆動操作を行なうための第１操作部３４と、管理情報を表示するための第２操作部３６を分けて設ける構成を説明した。第１、第２操作部を別体とした場合のメリットは上述したとおりであるが、これらのメリットよりもコストを重視する場合は、操作部を単一のユニットで構成することが考えられる。第２実施形態では、そのような場合における誤操作防止及び省電力の実現例を説明する。
【００４１】
図４は第２実施形態による移動型撮影装置５１の構成を説明する概略構成図である。第１実施形態の第１操作部３４と第２入出力３６が単一の操作部４０で構成されている点以外は第１実施形態と同様である。操作部４０は出力部として表示デバイスを、入力部として表示デバイス上に設けられたタッチパネルを有する。そして、表示デバイス上の画面を切替えることで第１実施形態の第１及び第２操作部３４，３６のそれぞれの機能を実現している。
【００４２】
図５は第２実施形態による表示デバイスの表示例を示す図である。図５の（ａ）に示すように、第１の画面４１には撮影する部位を選択する操作エリア４２や、Ｘ線発生部２８及び／又は撮影部１０等に対する撮影条件等の確認／設定をする操作エリア４３が配置されている。一方、図５の（ｂ）に示すように、第２の画面４４には、患者の情報や撮影要件を表示させるリスト４５（例えば、図１０（ａ）のような管理情報に基づくリスト）が表示される。これらは画面切替えキー４６を選択することで交互に切替え可能になっている。
【００４３】
移動型撮影装置５１が移動状態であることが検知されると（例えば回転検出センサ２６からの信号に基づいて移動状態を検知する）、自動的に画面を第２の画面４４へ切替え、画面切替えキー４６を使用できなくすることで、第１の画面４１への切替えを不可とする。このようにすることで、第１実施形態と同様に、Ｘ線発生部２８や撮影部１０への移動中の操作（誤操作）を防止でき、ひいては省電力化を達成できる。
【００４４】
＜第３実施形態＞
上記第２実施形態では一つの操作部４０において画面を切り替えることにより、装置が移動状態にある場合の誤操作の防止を実現した。第３実施形態では、１つの画面を複数のエリアに分け、移動型撮影装置が移動状態にある間は操作入力を受け付けないエリアを設けることで誤操作を防止する。
【００４５】
図６は第３実施形態による入出力装置４０の表示例を示す図である。図６の例では、表示デバイス上の画面を表示エリア４７と表示エリア４８に分割し、表示エリア４７には、Ｘ線発生部２８や撮影部１０に対する操作のための画面表示を、表示エリア４８には管理情報に基づく患者情報のリスト表示（図１０（ａ）の如きリスト表示）を行なう。そして、移動型撮影装置の移動が検出された場合には、自動的に第１の表示エリアへの出力をオフし、入力に反応しないようにする。なお、入力に反応しないようにする領域は表示エリア４７のみとしてもよい。このようにすれば、表示エリア４８に対する入力に反応するので、患者情報のリスト表示においてスクロールが必要な場合に対応できる。
【００４６】
＜第４実施形態＞
図７の第４の実施形態は第３の実施形態と入出力手段の構成は同等であるが、休止させる方法を別にする。移動中、安全のためにＸ線発生部自体も所定位置に戻すことが望ましい。そこで、Ｘ線発生部２８により分割した第１の表示エリア４７が隠れ、第２表示エリア４８は隠れないような位置になるように撮影装置本体２１上方に収納させる。これにより、第１の表示エリア４７へ物理的にアクセスできないようになり、不用意に作動することを防止する機能を持つことができる。同時に撮影装置はＸ線発生部が所定の収納位置にあることを検知する手段を有しており、所定位置にない場合は撮影装置の移動を禁止する機能を有している。従って、移動時は確実にＸ線発生部によって第１の表示エリア４７は隠れた状態にある。
【００４７】
本実施形態では、上記の位置にＸ線発生装置２８が収容されたことを検知し、この検知により台車２２に設けられたブレーキ機構のブレーキ状態が解除されて、装置が移動可能になるものとする。
【００４８】
以上は単一の操作部を用いた場合であるが、第１、第２操作部として別体に設けてある第１実施形態のような場合にも同様の方法が適用できる。この場合、例えば第１操作部３４のみを隠し、第２操作部３６が隠れないようにＸ線発生部２８の収納位置を設定することで実現可能である。また、第１操作部をＸ線発生部で隠すのではなく、別体で形成された第２操作部が第１操作部上にスライド移動し、第１操作部を隠すようにしてもよい。この場合、第２操作部が第１操作部上に配置されたことを検出することによりブレーキ状態を解除する。
【００４９】
＜第５実施形態＞
回診撮影の途中でバッテリ切れにより撮影ができなくなるというような事態は避けなければならない。そこで、あらかじめ撮影装置としてどの程度撮影可能な電力が充電されているかをモニタできる機能が望まれている。すなわち、上述のように消費電力を抑える対策を実現させる一方で、合わせて今後の撮影に必要な消費電力を通知すること、また、現在の充電状態でそのような消費電力をまかなえるかどうかを通知することも望まれる。第５実施形態ではこのような通知を行なえる撮影装置を説明する。なお、移動型撮影装置の構成は第１実施形態（図１、図２）と同様である。以下、第５実施形態による移動型撮影装置の電力に関する通知処理について図８を参照して説明する。
【００５０】
まずＲＩＳ端末より撮影オーダー等を含む管理情報が移動型撮影装置５０に取り込まれると、この管理情報より撮影がオーダーされている患者に関する情報（患者情報）が取得される（ステップＳ２０１）。取り込まれた管理情報には、撮影要件として管電圧、管電流、照射時間が含まれているので、オーダーされている各撮影に対してＸ線発生部２８の消費電力を計算できる。これを撮影オーダー全てに対して算出し積算することで消費電力の合計が算出される。一方、照射時間がわかれば撮影部１０のＸ線検出パネル１を駆動させる時間がわかるので、撮影部１０が要する消費電力も算出可能である。これらに制御部３２や第１、第２操作部３２，３６が消費する電力を加味することで総合的な消費電力を予測できる（ステップＳ２０２）。
【００５１】
一方、制御部３２はバッテリ３１の充電状態をモニタし（ステップＳ２００）、ステップＳ２０２で推測された消費電力とバッテリ３１に充電されている電力とを比較する（ステップＳ２０３）。こうして、充電状態がオーダーされた撮影に対して十分であるか、不足しているかを判断し、この情報を操作者に知らせることができる（ステップＳ２０４）。なお、この情報を知らせる方法としては、単純に撮影オーダーに必要な電力に対する％表示を数値、或いはグラフ状の表示により行なう、第２操作部３６に表示されるリスト上に撮影可能なオーダーをマーキング表示したりすることで実現できる。例えば、図１０の（ｂ）に示すように、リスト表示中に撮影の可否を示すことでも実現できる。
【００５２】
以上のように、第５実施形態によれば、管理情報によって通知された撮影オーダーから必要とするバッテリ容量を推測し、これを現在のバッテリ容量と比較することにより、充電量の過不足を操作者に知らせることができる。このため、事前に撮影スケジュールを調整できる等、効率的な運用が可能になる。
【００５３】
尚、上述の実施の形態のＸ線画像撮影装置は、特許請求の範囲を逸脱することなく、多様に変形することが可能であることは云うまでもない。
【図１】
2010194375.tif 000003
【図２】
2010194375.tif 000004
【図３】
2010194375.tif 000005
【図４】
2010194375.tif 000006
【図５】
2010194375.tif 000007
【図６】
2010194375.tif 000008
【図７】
2010194375.tif 000009
【図８】
2010194375.tif 000010
【図９】
2010194375.tif 000011
【図１０】
2010194375.tif 000012